(57)【要約】【課題】  映像が乱れたり、表示サイズを確認したりしているときには課金されないようにして、加入者に不愉快な思いをさせないようにする。【解決手段】  プログラムされたコンピュータによって実現可能な映像配信及び映像受信システムであって、映像配信側から送られた映像を受信して表示する際に、受信状況データを映像配信側に通知する受信状況通知手段と、映像配信側から送られた表示サイズ制限情報に基づいて映像の表示サイズを制限する表示サイズ制限手段と、映像受信側から送られてきた受信状況データにより課金情報を更新する課金情報更新手段と、課金情報により映像受信側に表示サイズ制限情報を送る表示サイズ制限情報送信手段と、映像データ及び表示サイズ制限情報を映像受信側へ伝送し、受信状況データを映像配信側へ伝送する通信手段とを備える。【選択図】  図２
2005323004.tif 000002
【特許請求の範囲】
【請求項１】
プログラムされたコンピュータによって実現可能な映像配信及び映像受信システムであって、
映像配信側から送られた映像を受信して表示する際に、受信状況データを映像配信側に通知する受信状況通知手段と、
映像配信側から送られた表示サイズ制限情報に基づいて映像の表示サイズを制限する表示サイズ制限手段と、
映像受信側から送られてきた受信状況データにより課金情報を更新する課金情報更新手段と、
課金情報により映像受信側に表示サイズ制限情報を送る表示サイズ制限情報送信手段と、
映像データ及び表示サイズ制限情報を映像受信側へ伝送し、受信状況データを映像配信側へ伝送する通信手段とを備えることを特徴とする映像配信及び映像受信システム。
【請求項２】
前記受信状況通知手段は、表示サイズ変更中も表示サイズ情報を受信状況データとして映像配信側に通知する受信状況通知手段であることを特徴とする請求項１に記載の映像配信及び映像受信システム。
【請求項３】
前記受信状況通知手段は、映像データ受信量の単位時間あたりの平均受信量を受信状況データとして映像配信側に通知する受信状況通知手段であることを特徴とする請求項１に記載の映像配信及び映像受信システム。
【請求項４】
前記課金情報更新手段は、映像受信側から送られてきた表示サイズにより課金情報を更新する課金情報更新手段であることを特徴とする請求項１に記載の映像配信及び映像受信システム。
【請求項５】
前記課金情報更新手段は、映像受信側から送られてきた映像データ受信量の単位時間あたりの平均受信量により課金情報を更新する課金情報更新手段であることを特徴とする請求項１に記載の映像配信及び映像受信システム。
【請求項６】
前記課金情報更新手段は、映像受信側から送られてきた表示サイズが一定時間変更されなかった場合に課金情報を更新する課金情報更新手段であることを特徴とする請求項１に記載の映像配信及び映像受信システム。
【請求項７】
前記表示サイズ制限情報送信手段は、映像受信側から送られてきた表示サイズが一定時間確定しない場合に表示サイズ制限情報を送る表示サイズ制限情報送信手段であることを特徴とする請求項１に記載の映像配信及び映像受信システム。
【請求項８】
プログラムされたコンピュータによって実現可能な映像配信及び映像受信方法であって、
映像配信側から送られた映像を受信して表示する際に、受信状況データを映像配信側に通知する受信状況通知手順と、
映像配信側から送られた表示サイズ制限情報に基づいて映像の表示サイズを制限する表示サイズ制限手順と、
映像受信側から送られてきた受信状況データにより課金情報を更新する課金情報更新手順と、
課金情報により映像受信側に表示サイズ制限情報を送る表示サイズ制限情報送信手順と、
映像データ及び表示サイズ制限情報を映像受信側へ伝送し、受信状況データを映像配信側へ伝送する通信手順とを含むことを特徴とする映像配信及び映像受信方法。
【請求項９】
前記受信状況通知手順は、表示サイズ変更中も表示サイズ情報を受信状況データとして映像配信側に通知する受信状況通知手順であることを特徴とする請求項８に記載の映像配信及び映像受信方法。
【請求項１０】
前記受信状況通知手順は、映像データ受信量の単位時間あたりの平均受信量を受信状況データとして映像配信側に通知する受信状況通知手順であることを特徴とする請求項８に記載の映像配信及び映像受信方法。
【請求項１１】
前記課金情報更新手順は、映像受信側から送られてきた表示サイズにより課金情報を更新する課金情報更新手順であることを特徴とする請求項８に記載の映像配信及び映像受信方法。
【請求項１２】
前記課金情報更新手順は、映像受信側から送られてきた映像データ受信量の単位時間あたりの平均受信量により課金情報を更新する課金情報更新手順であることを特徴とする請求項８に記載の映像配信及び映像受信方法。
【請求項１３】
前記課金情報更新手順は、映像受信側から送られてきた表示サイズが一定時間変更されなかった場合に課金情報を更新する課金情報更新手順であることを特徴とする請求項８に記載の映像配信及び映像受信方法。
【請求項１４】
前記表示サイズ制限情報送信手順は、映像受信側から送られてきた表示サイズが一定時間確定しない場合に表示サイズ制限情報を送る表示サイズ制限情報送信手順であることを特徴とする請求項８に記載の映像配信及び映像受信方法。
【請求項１５】
映像配信側から送られた映像を受信して表示する際に、受信状況データを映像配信側に通知する受信状況通知手順と、
映像配信側から送られた表示サイズ制限情報に基づいて映像の表示サイズを制限する表示サイズ制限手順と、
映像受信側から送られてきた受信状況データにより課金情報を更新する課金情報更新手順と、
課金情報により映像受信側に表示サイズ制限情報を送る表示サイズ制限情報送信手順と、
映像データ及び表示サイズ制限情報を映像受信側へ伝送し、受信状況データを映像配信側へ伝送する通信手順とコンピュータに実行させることを特徴とする映像配信及び映像受信プログラム。
【請求項１６】
映像配信側から送られた映像を受信して表示する際に、受信状況データを映像配信側に通知する受信状況通知手順と、
映像配信側から送られた表示サイズ制限情報に基づいて映像の表示サイズを制限する表示サイズ制限手順と、
映像受信側から送られてきた受信状況データにより課金情報を更新する課金情報更新手順と、
課金情報により映像受信側に表示サイズ制限情報を送る表示サイズ制限情報送信手順と、
映像データ及び表示サイズ制限情報を映像受信側へ伝送し、受信状況データを映像配信側へ伝送する通信手順とをコンピュータに実行させる映像配信及び映像受信プログラムを格納したことを特徴とするコンピュータ読み取り可能な記録媒体。
【発明の詳細な説明】
【技術分野】
【０００１】
本発明は、映像配信及び映像受信システム、方法、プログラム、及びコンピュータ読み取り可能な記録媒体に関するものである。
【背景技術】
【０００２】
従来、映像配信及び映像受信システムとしては、マルチメディア通信における課金システム（特許文献１）に示されているように、加入者がキーボード又は他の手段によって所望の画面サイズを選択し、選択された表示サイズをパラメータとして課金を行なうことを特徴とする技術があった。
【０００３】
【特許文献１】特開平６−４６１７５号公報
【発明の開示】
【発明が解決しようとする課題】
【０００４】
しかしながら、前記従来例では、映像が乱れても課金される金額が動的に変わらないため、加入者が不愉快な思いをする、或いは表示サイズを変更した瞬間に課金情報が更新されるため、表示サイズを確認している最中であっても課金されてしまい、加入者が不愉快な思いをする、といった課題があった。
【０００５】
本発明は前記のような点に鑑みてなされたものであり、有料コンテンツ等の配信に伴う課金の不都合を解消し、例えば映像が乱れたり、表示サイズを確認したりしているときには課金されないようにして、加入者に不愉快な思いをさせないようにすることを目的とする。
【課題を解決するための手段】
【０００６】
本発明の映像配信及び映像受信システムは、プログラムされたコンピュータによって実現可能な映像配信及び映像受信システムであって、映像配信側から送られた映像を受信して表示する際に、受信状況データを映像配信側に通知する受信状況通知手段と、映像配信側から送られた表示サイズ制限情報に基づいて映像の表示サイズを制限する表示サイズ制限手段と、映像受信側から送られてきた受信状況データにより課金情報を更新する課金情報更新手段と、課金情報により映像受信側に表示サイズ制限情報を送る表示サイズ制限情報送信手段と、映像データ及び表示サイズ制限情報を映像受信側へ伝送し、受信状況データを映像配信側へ伝送する通信手段とを備える点に特徴を有する。
本発明の映像配信及び映像受信方法は、プログラムされたコンピュータによって実現可能な映像配信及び映像受信方法であって、映像配信側から送られた映像を受信して表示する際に、受信状況データを映像配信側に通知する受信状況通知手順と、映像配信側から送られた表示サイズ制限情報に基づいて映像の表示サイズを制限する表示サイズ制限手順と、映像受信側から送られてきた受信状況データにより課金情報を更新する課金情報更新手順と、課金情報により映像受信側に表示サイズ制限情報を送る表示サイズ制限情報送信手順と、映像データ及び表示サイズ制限情報を映像受信側へ伝送し、受信状況データを映像配信側へ伝送する通信手順とを含む点に特徴を有する。
本発明の映像配信及び映像受信プログラムは、映像配信側から送られた映像を受信して表示する際に、受信状況データを映像配信側に通知する受信状況通知手順と、映像配信側から送られた表示サイズ制限情報に基づいて映像の表示サイズを制限する表示サイズ制限手順と、映像受信側から送られてきた受信状況データにより課金情報を更新する課金情報更新手順と、課金情報により映像受信側に表示サイズ制限情報を送る表示サイズ制限情報送信手順と、映像データ及び表示サイズ制限情報を映像受信側へ伝送し、受信状況データを映像配信側へ伝送する通信手順とコンピュータに実行させる点に特徴を有する。
本発明のコンピュータ読み取り可能な記録媒体は、映像配信側から送られた映像を受信して表示する際に、受信状況データを映像配信側に通知する受信状況通知手順と、映像配信側から送られた表示サイズ制限情報に基づいて映像の表示サイズを制限する表示サイズ制限手順と、映像受信側から送られてきた受信状況データにより課金情報を更新する課金情報更新手順と、課金情報により映像受信側に表示サイズ制限情報を送る表示サイズ制限情報送信手順と、映像データ及び表示サイズ制限情報を映像受信側へ伝送し、受信状況データを映像配信側へ伝送する通信手順とをコンピュータに実行させる映像配信及び映像受信プログラムを格納した点に特徴を有する。
【発明の効果】
【０００７】
本発明によれば、映像が乱れても課金される金額が動的に変更できるので、加入者に不愉快な思いをさせずに済む。また、表示サイズを確認している最中は課金しないようにできるので、加入者に不愉快な思いをさせずに済む、といった効果が得られる。
【発明を実施するための最良の形態】
【０００８】
以下、添付図面を参照して、本発明の好適な実施形態について説明する。まず、図１を参照して、本発明の実施形態における映像配信及び映像受信システムの機能的構成について説明する。１０１は受信状況通知手段であり、映像配信側から送られた映像を受信して表示する際に、受信状況データを映像配信側に通知する。１０２は表示サイズ制限手段であり、映像配信側から送られた表示サイズ制限情報に基づいて映像の表示サイズを制限する。１０３は課金情報更新手段であり、映像受信側から送られてきた受信状況データにより課金情報を更新する。１０４は表示サイズ制限情報送信手段であり、課金情報により映像受信側に表示サイズ制限情報を送る。１０５は通信手段であり、映像データ及び表示サイズ制限情報を映像受信側へ伝送し、受信状況データを映像配信側へ伝送する。その他、通常の映像配信及び受信システムに具備されている手段（例えば映像表示手段等）は本発明を説明する上で主要な構成要素ではないので説明を省略するが、発明の本質を損なうものではない。
【０００９】
次に、図２を参照して、本実施形態である同システムの具体的なハードウェアの構成について説明する。ウィンドウ端末２０１は、映像配信側から送られた映像を受信して表示する際に、受信状況データを映像配信側に通知するための受信状況通知手段である。さらに前記ウィンドウ端末２０１は、映像配信側から送られた表示サイズ制限情報に基づいて映像の表示サイズを制限するための表示サイズ制限手段でもある。ウィンドウ端末２０１は、通常使用されるパソコン等で実現可能であり、表示用ディスプレイ、キーボード、マウス、パソコン本体（ＣＰＵ、Ｉ／Ｏインターフェイス、ＢＵＳ、メモリ）で実現される。ただし、メモリには映像受信通知手段１０１を実現する上で必要な受信状況通知プログラム１００１及び表示サイズ制限手段１０２を実現する上で必要なウィンドウシステム１００２を具備する。
【００１０】
映像配信サーバ２０２は、映像受信側から送られてきた受信状況データにより課金情報を更新するための課金情報更新手段である。さらに前記映像配信サーバ２０２は、課金情報により映像受信側に表示サイズ制限情報を送るための表示サイズ制限情報送信手段でもある。映像配信サーバ２０２は、一般的に使用されている課金可能な映像配信サーバで実現可能であるが、課金情報更新手段１０３を実現する上で必要な課金情報更新プログラム１００３及び表示サイズ制限情報送信手段１０４を実現する上で必要な表示サイズ制限情報送信プログラム１００４を具備する。
【００１１】
ネットワーク２０３は、映像データ及び表示サイズ制限情報を映像受信側へ伝送し、受信状況データを映像配信側へ伝送するための通信手段である。本実施形態ではインターネットによる実施を例にしている、双方向の通信手段であればイントラネットでもピアトゥピアの通信でも実現可能であり、通信形態に依存するものではない。
【００１２】
次に、図３を参照して、同装置のメモリ構成をメモリマップについて説明する。図３（Ａ）は映像配信サーバ側のメモリマップである。課金情報更新プログラム及び表示サイズ制限情報送信プログラム領域３０１は、同装置の制御手順が記憶されているメモリ領域である。課金情報領域３０２は、課金情報が記憶されているメモリ領域である。課金テーブル領域３０３は、表示サイズと料金の関係、又は平均受信量と料金の関係を表した課金テーブルが記憶されているメモリ領域である。変更操作可能時間記憶領域３０４は、表示サイズ変更の操作を連続して行なえる時間が記憶されているメモリ領域である。課金情報更新時間記憶領域３０５は、表示サイズの変更が終わってから課金情報が更新されるまでの時間が記憶されているメモリ領域である。映像データ領域３０６は、映像データが記憶されているメモリ領域である。作業領域３０７は、前期サーバ側制御手順を実行する上で必要な作業領域である。
【００１３】
図３（Ｂ）はウィンドウ端末側のメモリマップである。受信状況通知プログラム領域３１１は、同端末の受信状況通知制御手順が記憶されているメモリ領域である。ウィンドウシステム領域３１２は、同端末の表示サイズ制限手順が記憶されているメモリ領域である。作業領域３１３は、前期ウィンドウ端末側制御手順を実行する上で必要な作業領域である。
【００１４】
次に、図４を参照して、ウィンドウ端末側メイン処理の手順について説明する。ステップＳ４０１では、後述の受信状況通知手順を行なう。同手順は、受信状況通知プログラム領域３１１に予め記憶されているプログラムを実行することで行なわれる。
【００１５】
ステップＳ４０２では、後述の表示サイズ制限手順を行なう。同手順は、ウィンドウシステム領域３１２に予め記憶されているプログラムを実行することで行なわれる。
【００１６】
ステップＳ４０３では、映像を表示し、ステップＳ４０１に移行する。具体的には、送られてきたＭＰＥＧ２等のストリーム形式の映像データをデコードし、ウィンドウに表示可能な画像形式に変換することで行なわれるが、デコードの方法や表示可能な画像形式への変換は本発明の主眼ではないので説明は省略する。
【００１７】
次に、図５を参照して、受信状況通知手順について説明する。ステップＳ５０１では、マウスからの指示があるかどうかを調べ、ＮＯであればステップＳ５０５に移行し、そうでなければ次のステップへ移行する。
【００１８】
ステップＳ５０２では、ウィンドウサイズの変更指示かどうかを調べ、ＮＯであればステップＳ５０５に移行し、そうでなければ次のステップへ移行する。これは、加入者が興味を惹かれる映像は大きく表示して見たい、或いは、興味の少ない映像なので小さく表示して願わくば利用料を安くしたいという自然な欲求から行なわれる操作であり、本ステップではマウスによる指示を感知することでウィンドウサイズの変更要求と判断する。
【００１９】
ステップＳ５０３では、ウィンドウサイズを変更する。ステップＳ５０４では、変更されたウィンドウサイズデータを送信する。ステップＳ５０５では、現在の時刻を取得する。ステップＳ５０６では、前回取得した時刻からの時間を求め、受信間隔とする。ステップＳ５０７では、映像データの受信量を受信間隔で割り、平均受信量を求める。ステップＳ５０８では、平均受信量を送信する。ここでこの処理を終了する。
【００２０】
次に、図６を参照して、表示サイズ制限手順について説明する。ステップＳ６０１では、表示サイズ制限情報を受信したかどうかを調べ、ＮＯであれば終了し、そうでなければ次のステップへ移行する。
【００２１】
ステップＳ６０２では、現在のウィンドウサイズが表示サイズ制限の範囲内かどうかを調べ、ＹＥＳであれば終了し、そうでなければ次のステップへ移行する。
【００２２】
ステップＳ６０３では、ウィンドウサイズを表示サイズ制限の範囲に変更する。ここでこの処理を終了する。
【００２３】
次に、図７〜９を参照して、映像配信サーバ側メイン処理の手順について説明する。ステップＳ７０１では、変更操作可能時間Ｐを設定する。ステップＳ７０２では、課金情報更新時間Ｑを設定する。ステップＳ７０３では、サイズ変更開始時刻Ｓ＝０にする。ステップＳ７０４では、最終サイズ変更時刻Ｅ＝０にする。ステップＳ７０５では、データを受信する。
【００２４】
ステップＳ７０６では、ウィンドウサイズデータかどうかを調べ、ＮＯであればステップＳ８０２に移行し、そうでなければ次のステップへ移行する。ステップＳ７０７では、時刻Ｓ＝０かどうかを調べ、ＮＯであればステップＳ７０９に移行し、そうでなければ次のステップへ移行する。ステップＳ７０８では、現在時刻を取得し、Ｓにセットする。ステップＳ７０９では、現在時刻を取得し、Ｔにセットする。
【００２５】
ステップＳ７１０では、時刻Ｓから時間Ｐを経過している（Ｔ−Ｓ＞Ｐ）かどうかを調べ、ＮＯであればステップＳ８０１に移行し、そうでなければ次のステップへ移行する。ステップＳ７１１では、時刻Ｓ＝０にする。ステップＳ７１２では、表示サイズ制限情報送信手順を行なうステップＳ８０２に移行する。
【００２６】
ステップＳ８０１では、現在時刻を取得し、Ｅにセットする。ステップＳ８０２では、現在時刻を取得し、Ｔにセットする。ステップＳ８０３では、時刻Ｅ＝０かどうかを調べ、ＹＥＳであればステップＳ９０１に移行し、そうでなければ次のステップへ移行する。
【００２７】
ステップＳ８０４では、時刻Ｅから時間Ｑを経過している（Ｔ−Ｅ＞Ｑ）かどうかを調べ、ＮＯであればステップＳ９０１に移行し、そうでなければ次のステップへ移行する。ステップＳ８０５では、課金情報更新手順を行なうステップＳ９０３に移行する。
【００２８】
ステップＳ９０１では、データは平均受信量かどうかを調べ、ＮＯであればステップＳ９０３に移行し、そうでなければ次のステップへ移行する。ステップＳ９０２では、課金情報更新手順を行なう。ステップＳ９０３では、次の映像データを読み出す。ステップＳ９０４では、映像を送信するステップＳ７０５に移行する。
【００２９】
次に、図１０を参照して、課金情報更新手順について説明する。ステップＳ１００１では、表示サイズから課金テーブル又は計算式により金額を決定する。
【００３０】
ステップＳ１００２では、平均受信データ量から課金テーブル又は計算式により金額を修正する。平均受信データ量が少なくなった場合は、映像が乱れている可能性が高く、本ステップにより課金の金額を動的に変更することができる。
【００３１】
ステップＳ１００３では、求められた金額を課金情報とする。ステップＳ１００４では、所定の場所に課金情報を保存する。ここでこの処理を終了する。
【００３２】
次に、図１１を参照して、表示サイズ制限情報送信手順について説明する。ステップＳ１１０１では、表示サイズに制限がかけられているかどうかを調べ、ＮＯであれば終了し、そうでなければ次のステップへ移行する。ステップＳ１１０２では、表示サイズ制限情報を送信する。ここでこの処理を終了する。
【００３３】
以上のような構成及び処理を施すことによって、加入者には図１２に示すようなウィンドウ端末表示画面１２０１を提供することができる。図１２（Ａ）では、ウィンドウ端末表示画面１２０１に映像表示ウィンドウ１２０２が表示されている。これは映像配信サーバ２０２から送られてきた映像である。いま、加入者はマウスを操作することによりマウスカーソル１２０３の位置する座標までウィンドウを拡大しようとしているが（図１２（Ａ））、料金表示ウィンドウ１２０４の表示が「３円／分」と表示されたのを確認した上で、安い料金設定に戻している（図１２（Ｂ））。
【００３４】
このように、加入者は動的に適正な料金を知ることができ、表示サイズ確定後一定時間経過してから課金情報が更新されるため安心して表示サイズの変更を試すことができる。また、加入者がいたずらに表示サイズをいつまでも確定しない場合でも、配信者側からウィンドウサイズ変更の制限をかけることができるため、低料金で大きな表示を不正に見つづけることはできない。
【００３５】
以上の実施形態によれば、映像が乱れても課金される金額が動的に変わらないので、加入者が不愉快な思いをすることを無くすことができる。また、表示サイズを変更した瞬間に課金情報が更新されるため、表示サイズを確認している最中であっても課金されてしまい、加入者が不愉快な思いをするといった前記課題も解決することができる。
【００３６】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００３７】
この場合、記憶媒体から読み出されたプログラムコード自体が上述した実施形態の機能を実現することになり、プログラムコード自体及びそのプログラムコードを記憶した記憶媒体は本発明を構成することになる。
【００３８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３９】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【００４０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００４１】
【図１】実施形態における映像配信及び映像受信システムの機能的な構成を示すブロック図である。
【図２】同システムの具体的なハードウェアの構成を示すハードウェア構成図である。
【図３】同システムのメモリ構成を示すメモリマップを示す図である。
【図４】ウィンドウ端末側メイン処理の手順を示すフローチャートである。
【図５】受信状況通知手順を示すフローチャートである。
【図６】表示サイズ制限手順を示すフローチャートである。
【図７】映像配信サーバ側メイン処理の手順を示すフローチャートである。
【図８】映像配信サーバ側メイン処理の手順を示すフローチャートである。
【図９】映像配信サーバ側メイン処理の手順を示すフローチャートである。
【図１０】課金情報更新手順を示すフローチャートである。
【図１１】表示サイズ制限情報送信手順を示すフローチャートである。
【図１２】ウィンドウ端末表示画面を示す図である。
【符号の説明】
【００４２】
１０１    受信状況通知手段
１０２    表示サイズ制限手段
１０３    課金情報更新手段
１０４    表示サイズ制限情報送信手段
１０５    通信手段
２０１    ウィンドウ端末
２０２    映像配信サーバ
２０３    ネットワーク
３０１    課金情報更新プログラムおよび表示サイズ制限情報送信プログラム領域
３０２    課金情報領域
３０３    課金テーブル領域
３０４    変更操作可能時間領域
３０５    課金情報更新時間領域
３０６    映像データ領域
３０７    映像配信サーバ側作業領域
３１１    受信状況通知プログラム領域
３１２    ウィンドウシステム領域
３１３    ウィンドウ端末側作業領域
１２０１  ウィンドウ表示画面
１２０２  映像表示ウィンドウ
１２０３  マウスカーソル
１２０４  料金表示ウィンドウ
【図１】
2005323004.tif 000003
【図２】
2005323004.tif 000004
【図３】
2005323004.tif 000005
【図４】
2005323004.tif 000006
【図５】
2005323004.tif 000007
【図６】
2005323004.tif 000008
【図７】
2005323004.tif 000009
【図８】
2005323004.tif 000010
【図９】
2005323004.tif 000011
【図１０】
2005323004.tif 000012
【図１１】
2005323004.tif 000013
【図１２】
2005323004.tif 000014